(57)【要約】  装置、システム、デバイス、機構、及び方法を使用してＡＢＴＴ終端を位置付け、次いでＡＢＴＴ終端の温度を測定する。【選択図】図１
2018512915.tif 000002
【特許請求の範囲】
【請求項１】
Ａｂｒｅｕ脳熱トンネル（ＡＢＴＴ）の温度を測定するためのデバイスであって、
ハンドルと、
前記ハンドルによって支持された鏡面を含むミラーと、
前記ミラーから遠ざかる方向に前記ハンドル及び前記鏡面のうちの一方から延びるアームと、
ＡＢＴＴ終端の前記温度を測定するようなサイズ及び寸法にされ、前記アームの端部上に位置決めされ、温度測定値を提供するように構成された温度センサと、
前記温度測定値を受信して表示するように構成されたディスプレイと、
を含む、デバイス。
【請求項２】
前記アーム上に位置決めされた光源を更に含む、請求項１に記載のデバイス。
【請求項３】
Ａｂｒｅｕ脳熱トンネル（ＡＢＴＴ）を位置付け、及び該ＡＢＴＴからの熱データを測定するためのデバイスであって、
人の顔面の熱画像を取得し、及び該熱画像を送信するように構成された熱撮像カメラと、
前記送信された熱画像を受信し、該熱画像を解析してＡＢＴＴ終端の位置を決定し、及び該熱画像の該解析の結果を送信するように構成されたプロセッサと、
前記熱画像の前記解析の前記結果を受信し、及び該解析の該結果を表示するように構成されたディスプレイと、
を含む、デバイス。
【請求項４】
前記熱撮像カメラは、自動的に移動して前記人の顔面を位置付けるように構成される、請求項３に記載のデバイス。
【請求項５】
前記ディスプレイは、前記デバイスとは別である電子デバイスのディスプレイである、請求項３に記載のデバイス。
【請求項６】
前記別の電子デバイスは、携帯電話であり、前記プロセッサから該携帯電話への前記送信は、無線送信である、請求項５に記載のデバイス。
【請求項７】
前記熱撮像カメラは、８，０００ナノメートルから１２，０００ナノメートルの範囲の光を測定するように構成される、請求項３に記載のデバイス。
【請求項８】
指紋を検出し、及び該検出の結果を用いて前記デバイスを起動するように構成された指紋識別デバイスを更に含む、請求項３に記載のデバイス。
【請求項９】
前記熱撮像カメラは、可撓性支持マウント上に位置決めされる、請求項３に記載のデバイス。
【請求項１０】
前記熱撮像カメラは、揺動アームマウント上に位置決めされる、請求項３に記載のデバイス。
【請求項１１】
圧力センサ及び存在センサのうちの少なくとも一方を更に含み、該少なくとも一方の圧力センサ及び存在センサの起動が、前記デバイスを起動させる、請求項３に記載のデバイス。
【請求項１２】
前記ディスプレイは、前記熱撮像カメラに隣接して位置決めされる、請求項３に記載のデバイス。
【請求項１３】
前記熱撮像カメラは、前記人の顔面の全体の熱画像を取得するように構成される、請求項３に記載のデバイス。
【請求項１４】
可視波長で前記人の顔面の画像を取得し、及び該取得画像を前記ディスプレイ上に提示するように構成されたカメラを更に含む、請求項３に記載のデバイス。
【請求項１５】
前記熱撮像カメラは、熱電対列のアレイを含む、請求項３に記載のデバイス。
【請求項１６】
ミラーが、前記熱撮像カメラと前記人の顔面の間に位置決めされる、請求項３に記載のデバイス。
【請求項１７】
ディスプレイが、前記熱撮像カメラと前記人の顔面の間に位置決めされる、請求項３に記載のデバイス。
【請求項１８】
前記熱画像は、眉と眼の間の区域で撮られる、請求項３に記載のデバイス。
【請求項１９】
デジタル画像が、前記熱画像上に重ね合わされる、請求項３に記載のデバイス。
【請求項２０】
２つのＡｂｒｅｕ脳熱トンネル（ＡＢＴＴ）の温度を測定するためのデバイスであって、
第１の部材上に位置決めされ、第１のＡＢＴＴ終端の熱出力を測定するようなサイズ及び寸法にされ、並びに第１の方向に向けられた第１の熱センサと、
第２の部材によって支持され、第２のＡＢＴＴ終端の熱出力を測定するようなサイズ及び寸法にされ、並びに第２の方向に向けられた第２の熱センサと、を含み、
前記第１の部材は、前記第１の熱センサと前記第２の熱センサの間の距離を変化させるように移動可能である、デバイス。
【請求項２１】
前記第２の部材は、回転可能である、請求項２０に記載のデバイス。
【請求項２２】
前記第１の部材は、回転可能であり、前記第１の部材及び前記第２の部材は、互いに対して個々に回転可能である、請求項２１に記載のデバイス。
【請求項２３】
前記第１の熱センサ及び前記第２の熱センサは、平行であり、かつほぼ同一平面上にある、請求項２１に記載のデバイス。
【請求項２４】
前記第１の方向及び前記第２の方向は、平行な方向である、請求項２１に記載のデバイス。
【請求項２５】
少なくとも１つの光学レンズを更に含む、請求項２１に記載のデバイス。
【請求項２６】
前記センサは、接触センサである、請求項２０に記載のデバイス。
【請求項２７】
前記センサは、非接触センサである、請求項２０に記載のデバイス。
【請求項２８】
少なくとも１つのＡｂｒｅｕ脳熱トンネル終端のエミッションを測定するためのシステムであって、
前記エミッションを感受し、及び時間間隔中の該エミッションを表す信号を送信するように構成されたセンサと、
ディスプレイと、
前記信号を受信し、該信号を解析し、並びに該信号及び該信号の該解析のうちの少なくとも一方を表す出力を前記ディスプレイに提供するように構成され、前記時間間隔中及び該信号を受信して該信号を解析する時間中に広告を含む出力を提供するように更に構成された、プロセッサと、
を含むシステム。
【請求項２９】
前記ディスプレイは、前記広告中にデータを同時に提示する、請求項２８に記載のシステム。
【請求項３０】
前記データは、前記広告中にランダムな時点で提示される、請求項２９に記載のシステム。
【請求項３１】
前記センサは、センサアレイである、請求項２８に記載のシステム。
【請求項３２】
前記センサは、熱撮像センサである、請求項２８に記載のシステム。
【請求項３３】
前記センサは、接触センサである、請求項２８に記載のシステム。
【請求項３４】
前記センサは、非接触センサである、請求項２８に記載のシステム。
【請求項３５】
少なくとも１つのＡｂｒｅｕ脳熱トンネル終端から得られたデータを取得、解析、及び表示する方法であって、
時間間隔中に前記少なくとも１つのＡｂｒｅｕ脳熱トンネル終端からエミッションを感受する段階と、
前記エミッションを表す信号をプロセッサに送信する段階と、
前記送信された信号を解析し、及びその結果をディスプレイ上に提示する段階と、
前記時間間隔中に広告を表示する段階と、
を含む方法。
【請求項３６】
前記広告は、前記送信された信号を解析するのに要する時間中に表示される、請求項３５に記載の方法。
【請求項３７】
データが、前記広告が表示されている間に表示される、請求項３５に記載の方法。
【請求項３８】
データが、前記広告中のランダムな時点で表示される、請求項３５に記載の方法。
【請求項３９】
前記アームは、前記ＡＢＴＴ終端の角度に適合する前記鏡面に対する角度にある、請求項１に記載のデバイス。
【請求項４０】
前記アームは、前記温度センサを前記鏡面の中心の近くに位置決めするようなサイズ及び寸法にされる、請求項１に記載のデバイス。
【請求項４１】
前記光源は、前記アームに位置合わせされるか又は視準される、請求項２に記載のデバイス。
【請求項４２】
前記光源の出力は、前記ミラーにおいて見られるように構成される、請求項２に記載のデバイス。
【請求項４３】
前記温度センサは、前記ＡＢＴＴ終端の場所を位置付けるために走査するように構成される、請求項１に記載のデバイス。
【発明の詳細な説明】
【技術分野】
【０００１】
本発明の開示は、１又は２以上のＡｂｒｅｕ脳熱トンネル(Abreu brain thermal tunnel)（ＡＢＴＴ）終端の温度を測定するように構成されたデバイスに関する。
【背景技術】
【０００２】
体温の測定は、従来的には、口腔温度計、腋窩温度計、額温度計、又は直腸温度計を用いて達成される。
【先行技術文献】
【特許文献】
【０００３】
【特許文献１】米国特許出願第１４／５１２，４２１号号明細書
【特許文献２】米国特許出願第１４／５９３，８４８号号明細書
【特許文献３】米国特許出願第１４／５９４，１２２号号明細書
【特許文献４】米国特許出願第１４／６０３，３５３号号明細書
【発明の概要】
【課題を解決するための手段】
【０００４】
本発明の開示は、Ａｂｒｅｕ脳熱トンネル（ＡＢＴＴ）の温度を測定するためのデバイスを提供する。デバイスは、ハンドルと、ミラーと、アームと、アーム上に位置決めされた温度センサと、ディスプレイとを含む。ミラーは、ハンドルによって支持された鏡面を含む。アームは、ミラーから遠ざかる方向に延びる。温度センサは、ＡＢＴＴ終端の温度を測定するようなサイズ及び寸法にされる。温度センサは、ミラーと反対にあるアームの端部上に位置決めされ、温度センサは、温度測定値を提供するように構成される。ディスプレイは、温度測定値を受信して表示するように構成される。
【０００５】
本発明の開示はまた、Ａｂｒｅｕ脳熱トンネル（ＡＢＴＴ）を位置付け、かつＡＢＴＴから熱データを測定するためのデバイスを提供する。デバイスは、熱撮像カメラ(thermal imaging camera)と、プロセッサと、ディスプレイとを含む。熱撮像カメラは、ヒト顔面の熱画像を取得し、かつ熱画像を送信するように構成される。プロセッサは、送信された熱画像を受信し、熱画像を解析してＡＢＴＴ終端を位置付け、次いでＡＢＴＴ終端から熱データを取得し、取得した熱データを解析し、かつ解析の結果を送信するように構成される。ディスプレイは、解析の結果を受信し、かつ解析の結果を表示するように構成される。
【０００６】
本発明の開示はまた、２つのＡｂｒｅｕ脳熱トンネル（ＡＢＴＴ）の温度を測定するためのデバイスを提供する。デバイスは、第１の回転可能部材と、第１の熱センサと、回転可能部材とを含む。第１の熱センサは、デバイス上に位置決めされ、かつ第１のＡＢＴＴ終端の熱出力を測定するようなサイズ及び寸法にされる。第１の熱センサは、第１の方向に向けられる。第２の熱センサは、デバイスによって支持され、かつ第２のＡＢＴＴ終端の熱出力を測定するようなサイズ及び寸法にされる。第２の熱センサは、第２の方向に向けられる。第１の回転可能部材は、第１の熱センサを支持するように構成され、第１の回転可能部材は、第１の熱センサと第２の熱センサの間の距離を変化させるように移動可能である。
【０００７】
本発明の開示はまた、少なくとも１つのＡｂｒｅｕ脳熱トンネル終端のエミッションを測定するためのシステムを提供し、システムは、センサと、ディスプレイと、プロセッサとを含む。センサは、エミッションを感受し、かつ時間間隔中のエミッションを表す信号を送信するように構成される。プロセッサは、信号を受信し、信号を解析し、かつ信号及び信号の解析のうちの少なくとも一方を表す出力をディスプレイに提供するように構成される。プロセッサは、上述の時間間隔中及び信号を受信して信号を解析する時間中に広告を含む出力を提供するように更に構成される。
【０００８】
本発明の開示はまた、少なくとも１つのＡｂｒｅｕ脳熱トンネル終端から得られるデータを取得、解析、かつ表示する方法を提供する。本方法は、時間間隔中に少なくとも１つのＡｂｒｅｕ脳熱トンネル終端からのエミッションを感受する段階と、エミッションを表す信号をプロセッサに送信する段階と、送信された信号を解析し、かつ結果をディスプレイ上に提示する段階と、上述の時間間隔中に広告を表示する段階とを含む。
【０００９】
本発明の開示の実施形態の利点及び特徴は、添付図面に関連付けて考察する時に例示的実施形態の以下の詳細説明からより明らかになるであろう。
【図面の簡単な説明】
【００１０】
【図１】ＡＢＴＴ及びＡＢＴＴに関連付けられた顔面静脈の概略図である。
【図２】Ａｂｒｅｕ脳熱トンネルとある一定の他の顔面特徴部とを示すヒト頭蓋骨を垂直方向に通る簡略部分断面図である。
【図３】脳コア内への血流の様式的表現を示す図である。
【図４】本発明の開示の例示的実施形態によりＡＢＴＴ終端を位置付けるのを補助し、次いでＡＢＴＴ終端での温度を測定するように構成されたデバイスの側面図である。
【図５】図４のデバイスの斜視図である。
【図６】本発明の開示の例示的実施形態によりＡＢＴＴ終端を位置付けるのを補助し、次いでＡＢＴＴ終端での温度を測定するように構成された別のデバイスの正面図である。
【図７】図６のデバイスの側面図である。
【図７Ａ】本発明の開示の例示的実施形態によりＡＢＴＴ終端を位置付けるのを補助し、次いでＡＢＴＴ終端での温度を測定するように構成された更に別のデバイスの図である。
【図７Ｂ】図７Ａのデバイスの別の図である。
【図７Ｃ】本発明の開示の例示的実施形態によりＡＢＴＴ終端を位置付けるのを補助し、次いでＡＢＴＴ終端での温度を測定するように構成された更に別のデバイスの図である。
【図７Ｄ】図７Ｃのデバイスの別の図である。
【図７Ｅ】本発明の開示の例示的実施形態によりＡＢＴＴ終端を位置付けるのを補助し、次いでＡＢＴＴ終端での温度を測定するように構成された更に別のデバイスの図である。
【図７Ｆ】図７Ｅのデバイスの別の図である。
【図７Ｇ】図７Ｃのデバイスの別の図である。
【図７Ｈ】図７Ａのデバイスの別の図である。
【図８】本発明の開示の例示的実施形態により少なくとも１つのＡＢＴＴ終端を位置付け、次いで少なくとも１つのＡＢＴＴ終端の温度を測定するように構成され、第１の構成にある更に別のデバイスの図である。
【図８Ａ】本発明の開示の例示的実施形態により少なくとも１つのＡＢＴＴ終端を位置付け、次いで少なくとも１つのＡＢＴＴ終端の温度を測定するように構成された更に別のデバイスの図である。
【図８Ｂ】本発明の開示の例示的実施形態により少なくとも１つのＡＢＴＴ終端を位置付け、次いで少なくとも１つのＡＢＴＴ終端の温度を測定するように構成された更に別のデバイスの図である。
【図９】デバイスが第２の構成にある図８に記載のデバイスの別の図である。
【図１０】図８のデバイスの側面図である。
【図１１】図８のデバイスの斜視図である。
【図１２】本発明の開示の例示的実施形態により少なくとも１つのＡＢＴＴ終端の温度を測定するように構成され、第１の位置にあるデバイスの図である。
【図１３】デバイスが第２の位置にある図１２に記載のデバイスの別の図である。
【図１４】図１２のデバイスの側面図である。
【図１５】図１２のデバイスの斜視図である。
【図１６】本発明の開示の例示的実施形態により少なくとも１つのＡＢＴＴ終端の温度を測定するように構成され、ユーザの顔面に隣接して位置決めされたた別のデバイスの上面図である。
【図１７】デバイスの各部分に対する運動の範囲を示す図１６のデバイスの別の図である。
【図１８】図１６のデバイスの背面図である。
【図１９】本発明の開示の例示的実施形態によりＡＢＴＴ終端を位置付け、次いでＡＢＴＴ終端の温度を測定するように構成された装置の図である。
【図２０】図１９の装置の側面図である。
【図２１】本発明の開示の例示的実施形態によりＡＢＴＴ終端を位置付け、次いでＡＢＴＴ終端の温度を測定するように構成された別の装置の図である。
【図２２】図２１の装置の側面図である。
【図２３】本発明の開示の例示的実施形態によりＡＢＴＴ終端を位置付け、次いでＡＢＴＴ終端の温度を測定するように構成された更に別の装置の正面図である。
【図２４】図２３の装置の側面図である。
【図２５】本発明の開示の例示的実施形態によりＡＢＴＴ終端を位置付け、次いでＡＢＴＴ終端の温度を測定するように構成された更に別の装置の正面図である。
【図２６】図２５の装置の側面図である。
【図２７】本発明の開示の例示的実施形態によりＡＢＴＴ終端を位置付け、次いでＡＢＴＴ終端の温度を測定するように構成された更に別の装置の正面図である。
【図２８】図２７の装置の側面図である。
【図２９】本発明の開示の例示的実施形態によりＡＢＴＴ終端を位置付け、次いでＡＢＴＴ終端の温度を測定するように構成された更に別の装置の正面図である。
【図３０】図２９の装置の側面図である。
【図３０Ａ】揺動アーム支持装置上に位置決めされた図７Ｃ及び図７Ｄのデバイスの図である。
【図３０Ｂ】図３０Ａのデバイスの別の図である。
【図３０Ｃ】図３０Ａの装置のためのネジベースの装着機構の図である。
【図３０Ｄ】入れ子式支持体上に位置決めされた図７Ｃ及び図７Ｄのデバイスの図である。
【図３０Ｅ】本発明の開示の例示的実施形態により入れ子式支持体上に位置決めされた別のデバイスの図である。
【図３１】本発明の開示の例示的実施形態によりＡＢＴＴ終端を位置付け、次いでＡＢＴＴ終端の温度を測定するように構成されたシステムの図である。
【図３２】図３１のシステムの別の図である。
【図３３】図３１のシステムの更に別の図である。
【図３３Ａ】本発明の開示の例示的実施形態によりＡＢＴＴ終端を位置付け、次いでＡＢＴＴ終端の温度を測定するように構成された別のシステムの図である。
【図３３Ｂ】図３３Ａのシステムのカード読取器の図である。
【図３４】本発明の開示の例示的実施形態による図３１のシステムに対する支持構造の図である。
【図３５】図３４の支持構造の側面図である。
【図３６】本発明の開示の例示的実施形態による図３１のシステムに対する代替実施形態支持構造の図である。
【図３７】図３６の支持構造の側面図である。
【図３８】本発明の開示の例示的実施形態によりＡＢＴＴ終端を位置付け、次いでＡＢＴＴ終端の温度を測定するように構成された別のシステムの図である。
【図３９】図３８のシステムの別の図である。
【図４０】本発明の開示の例示的実施形態による図３８に記載のシステムに対する支持構造の図である。
【図４１】図４０の支持構造の側面図である。
【図４２】図３８のシステムのカメラ位置を制御するデバイスの図である。
【図４３】本発明の開示の例示的実施形態によりＡＢＴＴ終端を位置付け、次いでＡＢＴＴ終端の温度を測定するように構成された更に別のシステムの図である。
【図４４】図４３のシステムの別の図である。
【図４５】図４３のシステムの更に別の図である。
【図４６】本発明の開示の例示的実施形態による図４３のシステムに対する支持構造の図である。
【図４７】図４６の支持構造の側面図である。
【図４８】図４３のシステムのカメラ位置を制御するデバイスの図である。
【図４９】本発明の開示の例示的実施形態によりＡＢＴＴ終端を位置付け、次いでＡＢＴＴ終端の温度を測定するように構成された更に別のシステムの図である。
【図５０】図４９のシステムの別の図である。
【図５１】図４９のシステムの更に別の図である。
【図５２】本発明の開示の例示的実施形態による図４９のシステムに対する支持構造の図である。
【図５３】図５２の支持構造の側面図である。
【図５４】図４９のシステムのカメラ位置を制御するデバイスの図である。
【図５５】図４９のシステムの起動デバイスの図である。
【図５６】本発明の開示の例示的実施形態によりＡＢＴＴ終端を位置付け、次いでＡＢＴＴ終端の温度を測定するように構成された更に別のシステムの図である。
【図５７】図５６のシステムの別の図である。
【図５８】図５６のシステムの更に別の図である。
【図５９】本発明の開示の例示的実施形態による図５６に記載のシステムに対する支持構造の図である。
【図６０】図５９の支持構造の側面図である。
【図６１】図５６のシステムのカメラ位置を制御するデバイスの図である。
【図６２】図５６のシステムの起動デバイスの図である。
【図６３】本発明の開示の例示的実施形態によりＡＢＴＴ終端を位置付け、次いでＡＢＴＴ終端の温度を測定するように構成された更に別のシステムの図である。
【図６４】図６３のシステムの別の図である。
【図６５】図６３のシステムの更に別の図である。
【図６６】本発明の開示の例示的実施形態による図６３のシステムに対する支持構造の図である。
【図６７】図６６の支持構造の側面図である。
【図６８】図６３のシステムのカメラ位置を制御するデバイスの図である。
【図６９】図６３のシステムの起動デバイスの図である。
【図７０】本発明の開示の例示的実施形態によりＡＢＴＴ終端を位置付け、次いでＡＢＴＴ終端の温度を測定するように構成された別のシステムの図である。
【図７０Ａ】本発明の開示の例示的実施形態によりＡＢＴＴ終端を位置付け、次いでＡＢＴＴ終端の温度を測定するように構成された更に別のシステムの図である。
【図７０Ｂ】図７０Ａのシステムの一部分の図である。
【図７０Ｃ】本発明の開示の例示的実施形態によりＡＢＴＴ終端を位置付け、次いでＡＢＴＴ終端の温度を測定するように構成された更に別のシステムの図である。
【図７０Ｄ】図７０Ｃのシステムの一部分の図である。
【図７０Ｅ】本発明の開示の例示的実施形態によりＡＢＴＴ終端を位置付け、次いでＡＢＴＴ終端の温度を測定するように構成された更に別のシステムの図である。
【図７０Ｆ】図７０Ｅのシステムの一部分の図である。
【図７０Ｇ】本発明の開示の例示的実施形態によりＡＢＴＴ終端を位置付け、次いでＡＢＴＴ終端の温度を測定するように構成された更に別のシステムの図である。
【図７０Ｈ】図７０Ｇのシステムの一部分の図である。
【図７０Ｉ】本発明の開示の例示的実施形態によりＡＢＴＴ終端を位置付け、次いでＡＢＴＴ終端の温度を測定するように構成された更に別のシステムの図である。
【図７０Ｊ】図７０Ｉのクランプの図である。
【図７０Ｋ】図７０Ｉのシステムの一部分の図である。
【図７０Ｌ】本発明の開示の例示的実施形態によりＡＢＴＴ終端を位置付け、次いでＡＢＴＴ終端の温度を測定するように構成されたシステムの図である。
【図７０Ｍ】図７０Ｌのシステムのセンサデバイスの図である。
【図７０Ｎ】本発明の開示の例示的実施形態による別のセンサデバイスの図である。
【図７０Ｏ】本発明の開示の例示的実施形態による更に別のセンサデバイスの図である。
【図７０Ｐ】本発明の開示の例示的実施形態による更に別のセンサデバイスの図である。
【図７０Ｑ】修正された特徴を有する図７０Ｌのシステムの図である。
【図７１】本発明の開示の例示的実施形態によるＡＢＴＴ取得処理の図である。
【図７２】動脈瘤のリスクを示すＡＢＴＴ温度のグラフを示す図である。
【図７３】癌のリスクを示すＡＢＴＴ温度のグラフを示す図である。
【図７４】発作のリスクを示すＡＢＴＴ温度のグラフを示す図である。
【図７５】感染の進行を示すＡＢＴＴ温度のグラフを示す図である。
【図７６】アルツハイマー病又は海馬を超えるアルツハイマー病の広がりを示すＡＢＴＴ温度のグラフを示す図である。
【図７７】膿瘍のリスクを示すＡＢＴＴ温度のグラフを示す図である。
【図７８】脳卒中のリスクを示すＡＢＴＴ温度の数値表示を示す図である。
【発明を実施するための形態】
【００１１】
本発明の開示は、Ａｂｒｅｕ脳熱トンネル又はＡＢＴＴが脳中枢との直接血管連通の最初の公知の手段を与えるという発見から生じたものである。解剖学的かつ生理学的には、図１〜図３に示すように、ＡＢＴＴ１２は、脳の制御中枢にある脳コア２４とＡＢＴＴ終端１０の間に連続的かつ直接的な不撹乱接続部を含む。トンネルの一端での物理的かつ生理学的事象は、反対端で再現される。ＡＢＴＴ１２は、有意な障壁のないＡＢＴＴ終端１０と脳コア２４の間の熱エネルギの直接連通を可能にする。従って、本発明の開示は、ＡＢＴＴ終端１０を位置付け、次いでＡＢＴＴ終端１０の温度を測定するのに使用される装置、システム、デバイス、機構、及び方法を説明する。
【００１２】
本出願人は、現在特許出願中の米国特許出願第１４／５１２，４２１号明細書、第１４／５９３，８４８号明細書、第１４／５９４，１２２号明細書、及び第１４／６０３，３５３号明細書にＡＢＴＴ終端１０での温度の測定のための他のデバイス、装置、及びシステムを開示している。本明細書で説明する装置、システム、デバイス、機構、及び方法は、本明細書に提供する説明を読解することから当業者によって理解されるような追加の特徴及び利点を提供するものである。
【００１３】
本明細書でターゲット区域と呼ぶＡＢＴＴ１２の顔面端、又はＡＢＴＴ１２上か、それにわたるか、又はそれに隣接する皮膚上の終端１０は、内眼角靭帝の場所の眼３２の内側コーナから計った直径で約１１ｍｍの大きさがあり、約６ｍｍにわたって上に延び、次いで更に２２ｍｍにわたって上瞼内に角状突出部として延びる。
【００１４】
解剖学的構造は、ＡＢＴＴターゲット区域１０における、前頭静脈１４、上眼瞼静脈１６、眼窩上静脈１８、及び眼角静脈２０という４つの静脈の合流を示している。眼角静脈(angular vein)２０は、ＡＢＴＴ１２から遠くに延び、顔面静脈(facial vein)２２に移行する。合流すると、これらの静脈からの血液は、眼３２の眼角コーナの近くのＡＢＴＴターゲット区域１０から脳コア２４に向けて流れ、身体の温度中枢又は熱貯蔵区域である脳の中枢内に流れ込む。図１及び図２は、他の顔面特徴部に対するこれらの静脈の大体の場所を示している。眼角静脈／顔面静脈２０／２２は、鼻２６のわきに沿って上に走り、上眼瞼静脈(superior palpebral vein)１６は、眉２８に沿って走り、前頭静脈(frontal vein)１４及び眼窩上静脈(supraorbital vein)１８は、額３０を通って延びる。
【００１５】
本明細書で説明するように、静脈１４、１６、１８、２０、及び２２は、眼３２のコーナと鼻の鼻梁の間の内側眼角区域内で合流し、阻害されることなく脳の中枢に直接に接続する。これらの血管は、典型的に脳の視床下部領域内の脳のコア位置の温度の測定に対する重大な障壁である弁を欠く。脳の視床下部領域は、中枢神経系と内分泌系の間の結合部であり、従って、例えば、空腹、喉の乾き、体温、疲労、血圧、免疫反応、概日周期、ホルモン生成、ホルモン分泌、並びに多くの他のもの等の多くの基本身体機能に対する制御中枢として作用する。
【００１６】
図４及び図５を参照すると、本発明の開示の例示的実施形態によるＡＢＴＴ温度測定デバイスが示され、かつ全体的に５０で示されている。デバイス５０は、部分反射鏡面又は反射面５６を含むミラー５４を支持するように構成されたハンドル５２を含む。デバイス５０は、部分反射して光が反射面５６を通って進行することを可能にする反射面５６の背後に位置決めすることができるディスプレイ５８を含み、ディスプレイ５８が照明された時にユーザがディスプレイ５８を見ることを可能にするように更に構成される。
【００１７】
デバイス５０はまた、鏡面又は反射面５６から遠ざかる方向に延び、好ましくは面５６に対してＡＢＴＴ終端１０の角度に適合する角度にあるアーム６０を含むように構成される。図４及び図５では、アーム６０を面５６から延びるように示すが、別の例示的実施形態では、アーム６０は、ハンドル５２から延びるように構成される。アーム６０は、その端部に温度センサ６２を含むように構成され、アーム６０のサイズ及び寸法は、ユーザが鏡面５６をより容易に使用することを可能にし、かつ温度センサ６２をＡＢＴＴ終端１０に、その近くに、その上に、それに隣接して、それに近接して、又はそれに並べて位置決めするのを補助するために温度センサ６２が鏡面５６の中心の近くに位置決めされるようなものである。デバイス５０は、ハンドル５２上に位置付けることができるスイッチ６４を更に含む。スイッチ６４は、温度センサ６２を作動し、得られる温度測定値がディスプレイ５８上に提示されているように構成される。温度とは別に、エミッタに結合された赤外線検出器を含む他のセンサを使用することができることを理解しなければならない。
【００１８】
デバイス５０は、可視光、すなわち、可視出力を放出するように構成された平行化ＬＥＤ６６等の光源を含むように構成することができる。ＬＥＤ６６は、アーム６０上に位置決めすることができるＬＥＤハウジング６８内に位置付けられる。スイッチ６４は、第１の位置でＬＥＤ６６を作動させ、第２の位置でＬＥＤ６６及び温度センサ６２を作動させるロッカータイプのスイッチとして構成することができる。ディスプレイ５８は、ＬＥＤ６６及び温度センサ６２の作動の結果として自動的に作動される。
【００１９】
作動時に、ユーザは、ハンドル５２を把持し、ミラー５４を使用することによって温度センサ６２をＡＢＴＴ終端１０に隣接する、すなわち、その上か又はその隣の区域に位置決めする。例示的実施形態では、温度センサ６２は、赤外線センサ等の非接触センサとすることができ、又は熱電対等の接触センサ、光センサ、又は誘電センサとすることができる。任意的なＬＥＤ６６が利用可能である場合に、ユーザは、ＬＥＤ６６を起動するためにスイッチ６４を押下することができ、ＬＥＤ６６は、そこから出力された光がミラー５４を通して見た時に温度センサ６２を位置決めするためのガイドとして機能することができるようにアーム６０に視準されるか又はそれに位置合わせされる。温度センサ６２が適正に置かれた状態で、温度センサ６２を起動するようにスイッチ６４を移動することができる。ＬＥＤ６６は、温度測定中に温度センサ６２の位置を維持するのを補助するために点灯状態に留まることができる。デバイス５０は、ＡＢＴＴ終端１０の場所を見つけるために温度センサ６２の「走査」を可能にするように構成することができる。デバイス５０がこの機能を含む場合に、デバイス５０がＡＢＴＴ終端１０を位置付けた状態で、ディスプレイ５８は、「ＯＮ  ＴＡＲＧＥＴ」等の適切な指標を表示するように構成することができる。デバイス５０がＡＢＴＴ終端１０から温度測定値を取得した状態で、温度結果はディスプレイ５８上に提示され、ディスプレイ５８上に予め決められた期間にわたって留めることができ、又はスイッチ６４の解除と共に消すことができる。
【００２０】
ＡＢＴＴ終端１０から温度を捕捉するための他のデバイスは、顔面を捕捉して解析し、ＡＢＴＴ終端１０を自動的に識別し、並びにＡＢＴＴ終端１０での温度を提供するように構成された赤外線（ＩＲ）アレイを含むことができる。本発明の開示の例示的実施形態に従って構成されたそのような温度測定デバイスは、図６及び図７に示し、全体的に１００で示している。
【００２１】
デバイス１００は、ＩＲ撮像カメラ１０４を支持するように構成されたハンドル１０２を含むように構成される。ハンドル１０２は、指紋認識装置１０６、並びに作動スイッチ１０８を含むように構成することができる。デバイス１００は、組み込みディスプレイ（図示せず）を有するように更に構成することができ、又はラップトップ、携帯電話、タブレットのような外部電子デバイス（図示せず）との通信を与えるように構成されたコネクタ１１０を含むことができる。デバイス１００は、情報を外部電子デバイスに送信するための送受信機、送信機、又は受信機を含むことができる。例示的実施形態では、赤外線センサアレイ又はＩＲ撮像カメラ１０４は、８，２００ナノメートルから１１，２００ナノメートルまでの波長範囲の赤外線光を検出するように構成することができる。
【００２２】
デバイス１００は、第１の把持ハンドル１０２によって作動される。指紋認識装置１０６が作動中である場合に、デバイス１００は、測定温度データを特定の患者に関連付けるためにユーザを識別し、正規ユーザを識別することができる。デバイス１００が、聴覚的に示すか、個別の電子デバイス上のディスプレイによって示すか、又はデバイス１００上のインジケータ（図示せず）の照明によって示すことができる適正な認識を提供した状態で、カメラ１０４によるＩＲ信号の取得が利用可能である。ＡＢＴＴから放出される赤外線光は、ある一定の波長内で脳診断情報を伝達し、本発明の開示のＩＲ撮像カメラは、好ましくは、６，０００ナノメートルと１４，０００ナノメートルの間の波長内、より好ましくは、８，０００ナノメートルと１２，０００ナノメートルの間の波長内、より好ましくは、８，５００ナノメートルと１１，５００ナノメートルの間の波長内、更に好ましくは、８，２００ナノメートルと１１，２００ナノメートルの間の波長内の赤外線光を検出するように構成される。
【００２３】
ユーザは、ＡＢＴＴ終端１０を含む顔面の区域を視準するようにデバイス１００を保持し、作動スイッチ１０８を押下する。ＩＲカメラ１０４は比較的大きい視野（ＦＯＶ）を有するので、カメラ１０４は、顔面の周辺区域に加えてＡＢＴＴ終端１０を撮像することができる。ＩＲカメラ１０４が受信した画像は、デバイス１００に送信してその中でプロセッサ又はコントローラ（図示せず）が処理することができ、又は画像は、コネクタ１１０に取り付けられたケーブル（図示せず）によって信号として個別の電子デバイスに送信することができ、この個別の電子デバイスにおいてこれらの画像データは、ＡＢＴＴ終端１０の温度、並びに時変温度データを決定するために処理される。更に、例えば、ラップトップ、タブレット、携帯電話等とすることができる個別の電子デバイスは、画像を表示するように構成することができ、この表示は、デバイス１００の位置を最適化すること、並びに感染、血流不足のような熱異常に関して画像を分析することに有用とすることができる。
【００２４】
図７Ａ、図７Ｂ、及び図７Ｈは、本発明の開示の例示的実施形態によりＡＢＴＴ終端１０を位置付けるのを補助し、次いでＡＢＴＴ終端１０の温度を測定するように構成された全体的に１２０に示す更に別のデバイスの図を示している。デバイス１２０は、様々な鼻サイズに対して調節を行うために拡張可能な接続部分１２６によって分離された右センサ１２２と左センサ１２４とを含む。更に、温度測定デバイス１２０は、プロセッサ１２８と、送信機（又は送受信機）１３０と、非一時的メモリ１３２と、バッテリ等の電源１３４と、ディスプレイ１３６とを含む。ディスプレイ１３６は、右センサ１２２及び左センサ１２４からデバイス１２０の反対側の面上に位置決めされる。図７Ｂは、例示的に小さめの鼻サイズ（又は瞳孔間距離）に合うように調節するために収縮させた接続部分１２６を有するデバイス１２０を示している。図７Ｈは、右ＡＢＴＴ終端１０及び左ＡＢＴＴ終端１０の温度を表示する単純ディスプレイ１３６を示している。
【００２５】
図７Ｃ、図７Ｄ、及び図７Ｇは、本発明の開示の例示的実施形態によりＡＢＴＴ終端１０を位置付けるのを補助し、次いでＡＢＴＴ終端１０の温度を測定するように構成された全体的に１７０に示す更に別のデバイスの図を示している。更に、温度測定デバイス１７０は、プロセッサ１２８（本明細書で説明するデバイス、装置、システム等のうちのいずれかの中に組み込むことができる）と、送信機（又は送受信機）１３０と、非一時的メモリ１３２と、バッテリ等の電源１３４と、右ディスプレイ１７６と、左ディスプレイ１７８とを含む。右ディスプレイ１７６及び左ディスプレイ１７８は、デバイス１７０のセンサからデバイス１７０の反対側の面上に位置決めされる。図７Ｄは、例示的に小さめの鼻サイズ（又は瞳孔間距離）に合うように調節するために収縮させた接続部分１２６を有するデバイス１７０を示している。図７Ｇは、センサ視野１９０をＡＢＴＴ終端１０上に位置決めするようにデバイス１７０が調節され、位置決めされた後にＡＢＴＴ終端１０からのエミッションを捕捉しているデバイス１７０の背面上の右ディスプレイ１７６及び左ディスプレイ１７８を示している。右ディスプレイ１７６及び左ディスプレイ１７８は、ＡＢＴＴ終端１０での最高温度を含むＡＢＴＴ終端１０の領域内で様式化された温度を有する複数のピクセルを描いている。本発明の開示の原理に従って単一ディスプレイを使用することができることを理解しなければならない。
【００２６】
図７Ｅ及び図７Ｆは、本発明の開示の例示的実施形態によりＡＢＴＴ終端１０を位置付けるのを補助し、次いでＡＢＴＴ終端１０の温度を測定するように構成された全体的に１８０に示す更に別のデバイスの図を示している。温度測定デバイス１８０は、個別の電子デバイス１８４（携帯電話のような）との通信のための送受信機１８２と、デバイス１８０のセンサからデバイス１８０の反対側の面上に位置決めされた右ディスプレイ１８６及び左アレイ１８８とを含む。
【００２７】
図８〜図１１（図８Ａ及び図８Ｂを除く）は、全体的に１５０に示す本発明の開示の例示的実施形態による温度測定デバイスを示している。デバイス１５０は、第１のデバイス部材１５４及び第２のデバイス部材１５６を回転可能に支持するデバイス支持体１５２を用いて構成される。デバイス１５０は、第１のデバイス部材１５４及び第２のデバイス部材１５６内に位置付けられた温度センサ（図示せず）を起動することによって温度測定処理を起動するための少なくとも１つのスイッチ１５８を用いて構成される。各デバイス部材１５４及び１５６は、ＡＢＴＴ終端１０をＦＯＶの一部として含めるのを容易にするために大きいＦＯＶを達成するように構成されたレンズ等の光学系１６０を含み、すなわち、デバイス１５０が顔面に対して保持された時に、光学系１６０の直径は、眼３２が光学系１６０の中心に位置決めされ、光学系１６０がＡＢＴＴ終端１０をも見ることができるようなものである。第１のデバイス部材１５４及び第２のデバイス部材１５６は、旋回又は回転するように構成されるので、眼３２の相互間隔の変動を受け入れるように第１のデバイス部材１５４及び第２のデバイス部材１５６を調節することができる。デバイス１５０は、それ自体からラップトップ、タブレット、携帯電話など等の個別の電子デバイス（図示せず）への信号接続を可能にするように構成されたコネクタ１６２を更に含むことができる。個別の電子デバイスは、デバイス１５０からの信号を解析し、デバイス１５０内に位置付けられた温度センサによって得られた温度マップ又は温度画像の表示を含む解析結果の表示を行うように構成することができる。
【００２８】
図８Ａは、本発明の開示の例示的実施形態により少なくとも１つのＡＢＴＴ終端１０を位置付け、次いでこの少なくとも１つのＡＢＴＴ終端１０の温度を測定するように構成された全体的に２２０に示す更に別のデバイスの図を示している。温度測定デバイス２２０は、各々がデバイス２２０の前面上に回転可能に装着された左センサ２２２及び右センサ２２４を含む。デバイス２２０は、各々が外周又は外縁２３０を有する第１の光学部材２２６及び第２の光学部材２２８を更に含む。第１の光学部材２２６及び第２の光学部材２２８は、これらの光学部材の間に開放空間又は容積２３２が形成されるように構成される。第１のセンサ２２２及び第２のセンサ２２４の各々は、デバイス２２０が被検者の顔面上に位置決めされた時にＡＢＴＴ終端１０を見るように位置決めされるように外周又は外縁２３０を超えて空間又は容積２３２内に延びる又は突出する。右センサ２２２及び左センサ２２４の各々は、第１の光学部材２２６及び第２の光学部材２２８を通して表示される画像、ホログラム、仮想現実、及び／又は拡張現実をユーザの眼が見ることを可能にしながらＡＢＴＴ終端１０を見るように適応されたセンサ面２３４を含み、それによって第１の光学部材２２６及び第２の光学部材２２８が提供する画像を見ながらＡＢＴＴ終端１０からの信号を捕捉することが可能になる。
【００２９】
図８Ｂは、本発明の開示の例示的実施形態により少なくとも１つのＡＢＴＴ終端を位置付け、次いでこの少なくとも１つのＡＢＴＴ終端の温度を測定するように構成された全体的に２４０に示す更に別のデバイスの図を示している。デバイス２４０は、右センサ２２４等の単一センサを含む。更に、デバイス２４０は、右センサ２２４の回転装着によって右センサ２２４に対して利用可能な複数の任意的位置のうちの２つを示している。右センサ２２４をＡＢＴＴ終端１０に位置合わせする際に、摺動及び回転を含む様々な機構を使用することができることを理解しなければならない。
【００３０】
図１２〜図１５は、全体的に２００に示す本発明の開示の例示的実施形態による別の温度測定デバイスを示している。デバイス２００は、互いに回転可能に接続された第１のデバイス部材２０２と第２のデバイス部材２０４とを用いて構成される。第１のデバイス部材２０２は、第１のアーム２０６を含み、第２のデバイス部材２０４は、第２のアーム２０８を含む。第１のアーム２０６及び第２のアーム２０８の各々は、これらの端部に位置決めされた温度センサ２１０を含む。各温度センサ２１０は、同じ方向に向けられる。温度センサ２１０は、互いに平行であるように向けられる。更に、ＡＢＴＴ終端１０の熱出力を測定する温度センサ２１０の最外面はほぼ同一平面上にある。各温度センサ２１０を第１のデバイス部材２０２及び第２のデバイス部材２０４と関連の顔面との干渉なくＡＢＴＴ終端１０に隣接して位置決めすることを可能にするために、各温度センサ２１０は、第１のデバイス部材２０２及び第２のデバイス部材２０４それぞれから離れた離間距離にある。デバイス２００は、温度センサ２１０を起動することによって温度測定処理を起動するための少なくとも１つのスイッチ２１２を用いて構成される。第１のデバイス部材２０２と第２のデバイス部材２０４とは互いに対して旋回又は回転するように構成されるので、眼３２の相互間隔の変動を受け入れるように第１のデバイス部材２０２及び第２のデバイス部材２０４を調節することができる。デバイス２００は、それ自体からラップトップ、タブレット、携帯電話など等の個別の電子デバイス（図示せず）への温度センサ２１０の送信信号の接続を可能にするように構成されたコネクタ２１４を更に含むことができる。個別の電子デバイスは、デバイス２００からの信号を解析し、解析結果を表示するように構成することができる。
【００３１】
図１６〜図１８は、全体的に２５０に示す本発明の開示の例示的実施形態による別の温度測定デバイスを示している。デバイス２５０は、両方共にデバイス支持体２５６上で回転可能に支持された第１のデバイス部材２５２と第２のデバイス部材２５４とを用いて構成される。デバイス１５０及び２００の場合と同様に、眼３２の相互間隔の変動を受け入れるように第１のデバイス部材２５２及び第２のデバイス部材２５４を調節することができるように、第１のデバイス部材２５２と第２のデバイス部材２５４とは互いに対して旋回又は回転するように構成される。第１のデバイス部材２５２及び第２のデバイス部材２５４は、各々が温度センサ２５８を支持するように構成される。図１６〜図１８の例示的実施形態では、第１のデバイス部材２５２と第２のデバイス部材２５４は、互いに対して独立して移動するように構成される。別の実施形態では、第１のデバイス部材２５２と第２のデバイス部材２５４は、摩擦又は歯車配置によって互いに移動するように構成することができる。更に別の実施形態では、第１のデバイス部材２５２と第２のデバイス部材２５４は、これらのデバイス部材の間の間隔を変更するために横方向又は横断方向に摺動するように構成することができる。デバイス２５０は、それ自体からラップトップ、タブレット、携帯電話など等の個別の電子デバイス（図示せず）への温度センサ２５８の送信信号の接続を可能にするように構成されたコネクタ２６０を含むように更に構成される。個別の電子デバイスは、デバイス２５０からの信号を解析し、解析結果を表示するように構成することができる。
【００３２】
図６及び図７でハンドル上に位置決めされるように示すＩＲカメラ撮像カメラ１０４は、図１９〜図２６に示すように他の方式で装着することができる。図１９及び図２０は、デスク又はテーブル上に位置決めされるのに適する入れ子式支持体２７０上に位置決め又は位置付けられたカメラ１０４を示している。図２１及び図２２は、揺動アーム支持体２７２上に位置決め又は位置付けられたカメラ１０４を示している。図２３及び図２４は、Ｓ字形支持体２７４上に位置決め又は位置付けられたカメラ１０４を示している。図２５及び図２６は、壁装着支持体２７６上に位置決め又は位置付けられたカメラ１０４を示している。
【００３３】
他のデバイスをカメラ１０４と併置することができる。例えば、図２７〜図３０は、個別の電子デバイス、例えば、ラップトップ、携帯電話、タブレット、非一時的ストレージ媒体等と通信するように構成された送受信機、送信機、又は受信機２７８を含むカメラ１０４の構成を示している。
【００３４】
図３０Ａ及び図３０Ｂは、測定されている被検者の様々な身長に合わせる調節に向けて揺動アーム支持体２７２上に位置決めされた図７Ｃ及び図７Ｄのデバイス１７０を示している。図３０Ａの実施形態では、右センサアレイ１７２及び左センサアレイ１７４の上方にデジタルカメラ１９２が位置決めされ、このカメラは、ある一定の解剖学的目印の熱放出量に関連するこの解剖学的目印の識別を可能にするために、赤外線画像の上にデジタル画像を重ねるように適応される。図３０Ｂは、図３０Ａに示す要素の側面図であり、縮んでいる場所を示している。
【００３５】
図３０Ｃ及び図３０Ｄは、デバイス１７０のためのネジベースの装着機構１９４を示している。図３０Ｄは、測定されている被検者の様々な身長に合わせる調節に向けて入れ子式支持体２７０上に位置決めされたデバイス１７０を示している。デバイス１７０は、図３０Ａ及び図３０Ｂの配置と同様に構成され、右センサアレイ１７２及び左センサアレイ１７４の上方に位置決めされたデジタルカメラ１９２を含む。赤外線検出器を二重検出器又は二重センサアレイである左右のセンサアレイとして示したが、右ＡＢＴＴと左ＡＢＴＴの両方からの信号を検出するように適応された単一アレイを使用することができることを理解しなければならない。このアレイを図３０Ｅに単一センサアレイ１７３として示している。更に、本発明のあらゆる実施形態において単一センサアレイを使用することができることも理解しなければならない。
【００３６】
図３１〜図３３は、全体的に３００に示す本発明の開示の例示的実施形態によりＡＢＴＴ終端１０を位置付け、次いでＡＢＴＴ終端１０の温度を測定するように構成されたシステムを示している。システム３００は、システム３００の要素を支持するように更に構成されたデスク、テーブル、又はプラットフォーム３０２を含むように構成される。システム３００は、移動可能ＩＲカメラ３０６を支持するように構成された支持システム３０４を含むように更に構成される。支持システム３０４は、少なくとも１つのＡＢＴＴ終端１０を位置付けることができるようにカメラ３０６が複数の垂直位置に移動可能又は調節可能であることを可能にするように構成される。例示的実施形態では、カメラ３０６は手動で移動される。別の例示的実施形態では、カメラ３０６は、本明細書でより詳細に説明するコントローラを用いて移動される。更に別の例示的実施形態では、カメラ３０６は、顔面及び少なくとも１つのＡＢＴＴ終端１０を位置付けるように自動的に移動可能である。
【００３７】
システム３００は、システム３００に対して様々な制御機能を与えるためのキーパッド、マイクロフォン、ＵＳＢ又は他のポート、カードスキャナ、又は他のデバイスを含むように構成することができる制御デバイス３０８を含むように更に構成される。そのような制御機能は、ＩＲカメラ３０６を顔面３１０に位置合わせするための支持システム３０４に沿うＩＲカメラ３０６の移動を含むことができる。ＩＲカメラ３０６は、コネクタ（図示せず）、送受信機３１２、又はこれらの両方を含むように構成することができる。同じく制御デバイス３０８も、コネクタ（図示せず）、送受信機３１４、又はこれらの両方を含むように構成することができる。従って、制御デバイス３０８は、ケーブル（図示せず）を通して又は送受信機３１２及び３１４を通してＩＲカメラ３０６と通信することができる。システム３００は、圧力又は存在センサを含んで制御デバイス３０８とケーブル（図示せず）又は無線のいずれかを通して通信するように構成され圧力又は存在検出デバイス３１６を含むように更に構成することができる。
【００３８】
ＩＲカメラ３０６は、ある一定の角度のＦＯＶ３１８を含むことを理解しなければならない。例示的実施形態では、ＩＲカメラ３０６の構成及び位置は、被検者３２０が圧力又は存在検出デバイス３１６の場所に立っている時にＦＯＶ３１８が被検者又は患者の顔面３１０のうちの殆ど又は全てを含むほど十分に大きいようなものである。ＦＯＶ３１８内にＡＢＴＴ終端１０の区域とＡＢＴＴ終端１０に直接に隣接するか又はその隣の区域とに対応する小さめの２次元区域３２２が存在することを理解しなければならない。
【００３９】
システム３００を作動させるために、被検者３２０は、圧力又は存在検出デバイス３１６の上に立ち、それによってシステム３００が開始又は起動される。圧力又は存在検出デバイス３１６は、被検者３２０の体重を直ちに提供することができる。例示的実施形態では、被検者３２０は、制御デバイス３０８上のキーを押下することによって温度測定作動を始めることができる。これに代えて、圧力検出デバイス３１６上の被検者３２０の存在が、温度測定作動を開始することができる。更に別の代替として、携帯電話、ラップトップ、タブレットのような個別の電子デバイス３２４は、システム３００と通信し、システム３００の作動を開始し、並びにシステム３００の機能を制御するように構成することができる。
【００４０】
例示的実施形態では、被検者３２０は、ＩＲカメラ３０６を眼の高さにくるように手動で移動するか、又は制御デバイス３０８上の制御器を用いてＩＲカメラ３０６を支持システム３０４に沿って垂直に位置決めする。別の例示的実施形態では、ＩＲカメラ３０６は、ＡＢＴＴ終端１０によって表された高温スポットに関して走査しながら支持システム３０４に沿って移動する。この後者の実施形態では、ＩＲカメラ３０６がＡＢＴＴ終端１０によって表された高温スポットを識別した状態で、ＩＲカメラ３０６は、それ自体をＡＢＴＴ終端１０からの温度信号を取得するように位置決めする。ＩＲカメラ３０６は、その熱撮像機能によって被検者３２０の頭の上部の位置を決定することができるので、ＩＲカメラ３０６の移動は、システム３００に被検者３２０の身長を測定する機能を更に与えることに注意しなければならない。これに代えて、ＡＢＴＴ終端１０から典型的な個人の頭の上部までの平均距離が以前に測定された距離であることを前提として、ＩＲカメラ３０６がＡＢＴＴ終端１０を位置付けた状態で、システム３００は、被検者３２０の身長を推定することができる。
【００４１】
ＩＲカメラ３０６がＡＢＴＴ終端１０の温度を測定するように位置決めされた状態で、制御デバイス３０８又は個別の電子デバイス３２４内で達成することができる温度データの取得及び解析が始まる。データ取得処理は、必要とされるデータ解析のタイプに依存して複数の時間間隔を含むように構成することができる。簡単な温度測定では、データ取得の長さは、典型的に数秒、例えば、１０秒から２０秒までである。複雑な測定では、データ取得の長さは数分である場合がある。一部のデータ取得間隔は非常に長い場合があり、被検者３２０に対して椅子を与えることを有益とすることができる。
【００４２】
図３３Ａ及び図３３Ｂは、全体的に３３０に示す本発明の開示の例示的実施形態によりＡＢＴＴ終端１０を位置付け、次いでＡＢＴＴ終端１０の温度を測定するように構成された別のシステムの図を示している。ＡＢＴＴ終端測定システムは、右センサアレイ１７２と、左センサアレイ１７４と、これらのセンサアレイの位置を変更するための摺動機構３３２と、カードスロット３３６を有する組合せキーパッド及びカード読取器３３４とを含む。この実施形態では、広告に使用することができるもの等のディスプレイが存在せず、測定は、カードスロット３３６内にＩＤカードを挿入すること、又は支払いに向けてクレジットカードをカードスロット３３６内に挿入することによって行われる。図３３Ｂに示すように、キーパッド及びカード読取器３３４は、測定中にシステム３３０と作動的に結合される電子デバイス１８４と接続するための第２のスロット３３８を含み、この測定において、電子デバイス１８４、例えば、携帯電話は、電子デバイススロット３３８内に入れられた時にシステム３３０に身長情報を与え、それによって摺動機構３３２による自動高さ調節が可能になる。キーパッド及びカード読取器３３４は、ユーザが測定及び識別カードなどを購入している事象においてクレジットカードに対する読取器を含むことができる。
【００４３】
支持システム３０４は、様々な配置に構成することができる。図３４及び図３５は、垂直に延びる２つのポール３２６と交差バー３２８とを含む「Ｈ字」構成を含む例示的な支持システム３０４ａを示している。ＩＲカメラ３０６は、交差バー３２８に沿って左右に移動するように構成され、交差バー３２８は、ポール３２６に沿って垂直に移動するように構成され、これら両方の移動により、被検者又は患者の顔面に位置合わせするためのＩＲカメラ３０６の移動が可能になる。図３６及び図３７は、ポール３２６に垂直に沿うＩＲカメラ３０６の移動を可能にするように構成された単一ポール３２６を含む別の例示的な支持システム３０４ｂを示している。左右又は水平位置決めを達成するために、患者又は被検者は左又は右に移動することになる。
【００４４】
図３８〜図４２は、全体的に３５０に示す本発明の開示の例示的実施形態による別のＡＢＴＴ終端測定システムを示している。システム３５０は、多くの点でシステム３００と同様であるが、ミラー３５２を更に含む。
【００４５】
図４３〜図４８は、全体的に３６０に示す本発明の開示の例示的実施形態による別のＡＢＴＴ温度測定システムを示している。システム３６０は、多くの点でシステム３００及び３５０と同様であるが、ＩＲカメラ３０６の出力を被検者３２０に提示するように構成されたディスプレイ３６２を更に含む。ディスプレイ３６２は、ＩＲエネルギに対して透過性を有し、従って、カメラ３０６は、ディスプレイ３６２を透過したＩＲエネルギを感受する。
【００４６】
図４９〜図５５は、全体的に３７０に示す本発明の開示の例示的実施形態による別のＡＢＴＴ温度測定システムを示している。システム３７０は、多くの点でシステム３６０と同様であるが、ＩＲカメラ３０６を位置合わせするのを補助するために顔面３１０の画像を可視光波長で捕捉して顔面３１０をディスプレイ３６２上に提示するように構成されたデジタルカメラ３７２を更に含む。
【００４７】
図５６〜図６２は、全体的に３８０に示す本発明の開示の例示的実施形態による別のＡＢＴＴ温度測定システムを示している。システム３８０は、多くの点でシステム３６０及び３７０と同様であるが、ＩＲカメラ３０６に隣接して位置決めされた表示デバイス３８２を更に含む。表示デバイス３８２は、顔面３１０に対してＩＲカメラ３０６を位置合わせするのを補助するために表示デバイス３８２上に出力が提示されるデジタルカメラを含むように構成することができる。
【００４８】
図６３〜図６９は、全体的に３９０に示す本発明の開示の例示的実施形態による別のＡＢＴＴ温度測定システムを示している。システム３９０は、システム３７０及び３８０からの選択的特徴を含む。表示デバイス３８２は、顔面３１０に対してＩＲカメラ３０６を位置合わせするのを補助するためにデジタルカメラ３７２によって提供される視覚データを提示するように構成される。
【００４９】
図７０は、全体的に４００に示す本発明の開示の例示的実施形態によりＡＢＴＴ終端１０を位置付け、次いでＡＢＴＴ終端１０の温度を測定するように構成された別のシステムを示している。システム４００は、移動可能ＩＲカメラ４０４を支持するように構成された支持システム４０２を含むように構成される。支持システム４０２は、少なくとも１つのＡＢＴＴ終端１０を位置付けることができるようにＩＲカメラ４０４が複数の垂直位置に移動可能又は調節可能であることを可能にするように構成される。例示的実施形態では、カメラ４０４は手動で移動される。別の例示的実施形態では、カメラ４０４は、コントローラを用いて移動される。更に別の例示的実施形態では、カメラ４０４は、顔面４０６及び少なくとも１つのＡＢＴＴ終端１０を位置付けるように自動的に移動可能である。
【００５０】
図７０Ａ及び図７０Ｂは、全体的に４２０に示す本発明の開示の例示的実施形態によりＡＢＴＴ終端１０を位置付け、次いでＡＢＴＴ終端１０の温度を測定するように構成された更に別のシステムの図を示している。システム４２０は、ディスプレイ４２４の上方に位置決めされてディスプレイ４２４と作動的に結合された熱電対列アレイを含むことができる赤外線センサアレイ４２２を含む。ディスプレイ４２４は、ＡＢＴＴ終端１０からのエミッションの測定中に広告を表示するように構成することができ、広告中のランダムな時点で測定結果をディスプレイ４２４上に出現するように構成することができる。図７０Ｂは、センサアレイ４２２が被検者のＡＢＴＴ終端１０からの熱信号を捕捉している状態にある被検者を測定中のシステム４２０の一部分の図を示している。
【００５１】
図７０Ｃ及び図７０Ｄは、全体的に４３０に示す本発明の開示の例示的実施形態によりＡＢＴＴ終端１０を位置付け、次いでＡＢＴＴ終端１０の温度を測定するように構成された更に別のシステムの図を示している。ＡＢＴＴ温度測定システム４３０は、画面４３４の背後に位置決めされた熱センサ４３２を含み、熱センサ４３２は、赤外線センサ及び熱撮像デバイスのうちの少なくとも一方を含み、画面４３４は、画面４３４によって発生される熱エネルギを計算するのを容易にするために、好ましくは、ＬＥＤディスプレイであり、これは、ＬＥＤが比較的安定した温度を有し、ＡＢＴＴ終端１０の温度を決定するのにセンサ４３２によって測定された温度を調節又は補正するためにＬＥＤ画面４３４の温度を使用することができるという理由に基づいている。画面４３４は、ＩＲエネルギに対して透過性を有することができ、従って、赤外線センサ４３２は、画面４３４を透過したＩＲエネルギを感受する。システム４３０は、広告等の画像４３６が画面４３４上に提示されている間にＡＢＴＴ終端１０からの熱信号を測定するように構成され、被検者は、測定を受けるために画面４３４を注視しなければならない。これに加えて、画面４３４上には測定結果が示されている。図７０Ｄは、センサアレイ４３２が被検者のＡＢＴＴ終端１０からの熱信号を捕捉している状態にある被検者を測定中のシステム４３０を示している。
【００５２】
図７０Ｅ及び図７０Ｆは、全体的に４５０に示す本発明の開示の例示的実施形態によりＡＢＴＴ終端１０を位置付け、次いでＡＢＴＴ終端１０の温度を測定するように構成された更に別のシステムの図を示している。ＡＢＴＴ温度測定システム４５０は、デジタルカメラ４５２と、赤外線センサアレイ４５４と、ＡＢＴＴ終端１０からのエミッションの測定が行われている間に広告４５８又は他の情報を示す画面４５６とを含む。図７０Ｆは、センサアレイが被検者のＡＢＴＴからの熱信号を捕捉している状態にある被検者を測定中のシステム４５０を示している。デジタルカメラ４５２は、ＡＢＴＴ終端１０及び眼３２の画像を捕捉し、これらの画像情報を用いて赤外線センサアレイ４５４をＡＢＴＴ終端１０に位置合わせする。次いで、デジタル画像は、表示中の熱画像上に重ね合わされる。
【００５３】
図７０Ｇ及び図７０Ｈは、全体的に４６０に示す本発明の開示の例示的実施形態によりＡＢＴＴ終端１０を位置付け、次いでＡＢＴＴ終端１０の温度を測定するように構成された更に別のシステムの図を示している。ＡＢＴＴ温度測定システム４６０は、熱画像カメラ４６２と、ＡＢＴＴ終端１０の熱放出の測定値が得られている間に広告４６６又は他の情報を示す画面４６４とを含む。図７０Ｈは、センサアレイ４６２が被検者のＡＢＴＴ終端１０からの熱信号を捕捉している状態にある被検者を測定中のシステム４６０の図を示している。
【００５４】
図７０Ｉ〜図７０Ｋは、全体的に４７０に示す本発明の開示の例示的実施形態によりＡＢＴＴ終端１０を位置付け、次いでＡＢＴＴ終端１０の温度を測定するように構成された更に別のシステムの図を示している。ＡＢＴＴ温度測定システム４７０は、デジタルカメラ４５２と、赤外線センサアレイ４５４と、ディスプレイ４７６を含み、測定値が得られている間にこのディスプレイ４７６上に広告４７８及び他の情報を示す電子デバイス４７４を固定するように構成されたクランプ機構４７２とを含む。図７０Ｊは、携帯電話、タブレット、コンピュータなど等の電子デバイス４７４を固定するためのクランプ機構４７２の詳細を示している。図７０Ｉは、センサアレイ４５４が被検者のＡＢＴＴ終端１０からの熱信号を捕捉している状態にある被検者を測定中のシステム４７０の図を示している。デジタルカメラ４５２は、ＡＢＴＴ終端１０及び眼３２の画像を捕捉し、これらの画像情報を用いて赤外線センサアレイ４５４をＡＢＴＴ終端１０に位置合わせする。次いで、デジタル画像は、熱画像上に重ね合わされる。
【００５５】
図７０Ｌ〜図７０Ｍは、全体的に５４０に示す本発明の開示の例示的実施形態によりＡＢＴＴ終端１０を位置付け、次いでＡＢＴＴ終端１０の温度を測定するように構成された更に別のシステムの図を示している。これに代えて、システム５４０及び本発明の開示の他のシステムは、測定ステーションとして説明することができる。ＡＢＴＴ温度測定システム５４０は、サーミスタ等の接触センサ５４６をその自由端に有するロッド５４４を含むセンサデバイス５４２と、キーパッド５４８と、それに隣接してセンサデバイス５４２によって測定された値を報告するディスプレイ５５０とを含む。ディスプレイ５５０は、センサデバイス５４２の電子回路と作動的に結合され、測定が終了した後に広告を表示し、同時に測定結果を表示する。ペン状のセンサデバイス５４２は、センサ５４６と様々な身長を有する人々のＡＢＴＴ終端１０との位置合わせに向けてシステム５４０の摺動機構３３２に接続される。この実施形態では、結果は、測定が終了した後に計算して報告され、図７０Ａから図７０Ｈに示すような移動可能ディスプレイは存在しない。図７０Ｌから図７０Ｎにペン状のセンサデバイス及び二重センサデバイスとして示す測定デバイスは、全体が引用によって本明細書に組み込まれている２０１６年３月１０日出願の現在特許出願中の米国特許出願第１５／＿＿＿＿＿＿号明細書に記載されている。図７０Ｍは、システム５４０の摺動機構３３２と接続するための機械的コネクタ（図示せず）を含み、更に接触センサ５４６とＡＢＴＴ終端１０との位置合わせのための回転機構を含む単一センサデバイス５４２を示している。
【００５６】
図７０Ｎは、全体的に５６０に示す本発明の開示の例示的実施形態による二重センサデバイスを示している。デバイス５６０は、システム５４０の摺動機構３３２と接続するためのコネクタ（図示せず）を含む。デバイス５６０は、右アーム５６２と左アーム５６４を含む。右アーム５６２は右センサ５６６を含み、左アーム５６４は左センサ５６８を含む。
【００５７】
図７０Ｏは、全体的に５８０に示す本発明の開示の例示的実施形態によるセンサデバイスを示している。デバイス５８０は、センサ本体５８２と、格納可能ケーブル又はワイヤ５８６によってセンサ本体５８２に接続されたセンサロッド５８４とを含む。センサ本体５８２は、システム５４０の摺動機構３３２上に装着され、かつそれと整合するように構成される。デバイス５８０は、センサロッド５８４上でその遠位端に位置決めされたセンサ５９０と、測定中にセンサ５９０を保護して相互汚染を回避するためのカバー５８８とを更に含む。
【００５８】
図７０Ｐは、全体的に６００に示す本発明の開示の例示的実施形態によるセンサデバイスを示している。デバイス６００は、二重センサ６０２と、これらのセンサ６０２がその上に位置決めされたセンサロッド６０４とを含む。センサロッド６０４は、例えば、システム５４０の格納可能ケーブル又はワイヤ６１０のコネクタ又はジャック６０８と嵌合するためのコネクタ６０６を含む。センサデバイス６００は、測定中に相互汚染を回避するためのセンサ６０２のためのカバー６１２を更に含む。
【００５９】
図７０Ｑは、摺動機構３３２に接続され、右ＡＢＴＴ終端１０及び左ＡＢＴＴ終端１０の温度を表示するディスプレイ５５２が追加されたシステム５４０を示している。
【００６０】
医師である本出願人による臨床実験は、右ＡＢＴＴ終端１０と左ＡＢＴＴ終端を好ましくは同時に測定することにより、いくつかの疾患のリスク及びいくつかの疾患の診断に関する重要な臨床情報が与えられることを示している。測定値は、絶対値（例えば、右がセ氏３６．６度及び左がセ氏３６．０度）、左側と右側の間の差、又は経時的温度変動を含むことができる。右ＡＢＴＴ終端１０（「Ｒ」）及び左ＡＢＴＴ終端１０（「Ｌ」）に関する温度対時間をプロットした以下のグラフは、これまで認識されていなかった疾患及び病態の特性をＡＢＴＴ終端１０の出力の解析に基づいて説明している。
【００６１】
図７２は、右ＡＢＴＴ終端１０が左ＡＢＴＴ終端１０よりも高い温度を有することを示し、右側の動脈瘤破裂のリスクを示している。
【００６２】
図７３は、右ＡＢＴＴ終端１０での正常温度及び左ＡＢＴＴ終端１０での高い温度を示し、左側の脳癌のリスクを示している。
【００６３】
図７４は、左ＡＢＴＴ終端１０において高めの周波数を有し、右ＡＢＴＴ終端１０において低めの周波数を有する振動パターンを示し、左側の発作のリスクを示している。
【００６４】
図７５は、両方の側で正常周波数よりも低い周波数を有するが、右ＡＢＴＴ終端１０の方が高い周波数を有する振動パターンを示し、脳又は神経系の左側の感染の進行を示している。
【００６５】
図７６は、左ＡＢＴＴと比較して右ＡＢＴＴ終端１０において高い温度変動速度を示し、右側の膿瘍のリスクを示している。
【００６６】
図７７は、右ＡＢＴＴ終端１０と左ＡＢＴＴ終端１０の両方において低めの周波数を有する振動パターンを示し、アルツハイマー病又は海馬を超えるアルツハイマー病の広がりを示している。
【００６７】
図７８は、右ＡＢＴＴ終端１０において低めの温度（セ氏３６．０度）及び左ＡＢＴＴ終端１０において正常温度（セ氏３６．７度）を有する絶対数値を示し、右側の脳卒中のリスクを示すディスプレイを示している。
【００６８】
システム４００は、システム４００に対して様々な制御機能を与えるためのキーパッド、マイクロフォン、ＵＳＢ又は他のポート、カードスキャナ、又は他のデバイスを含むように構成することができる制御デバイス４０８を含むように更に構成される。そのような制御機能は、ＩＲカメラ４０４を顔面４０６に位置合わせするための支持システム４０２に沿うＩＲカメラ４０４の移動を含むことができる。ＩＲカメラ４０４は、コネクタ（図示せず）、送受信機（図示せず）、又はこれらの両方を含むように構成することができる。同じく制御デバイス４０８も、コネクタ（図示せず）、送受信機（図示せず）、又はこれらの両方を含むように構成することができる。従って、制御デバイス４０８は、ケーブル（図示せず）又は無線を通してＩＲカメラ４０４と通信することができる。システム４００は、圧力又は存在センサを含んで制御デバイス４０８とケーブル（図示せず）又は無線のいずれかを通して通信するように構成された圧力又は存在検出デバイス３１６を含むように更に構成することができる。
【００６９】
ＩＲカメラ４０４は、ある一定の角度のＦＯＶ４１０を含むことを理解しなければならない。例示的実施形態では、ＩＲカメラ４０４の構成及び位置は、被検者４１２が圧力又は存在検出デバイス３１６の場所に立っている時にＦＯＶ４１０が顔面４０６のうちの殆ど又は全てを含むほど十分に大きいようなものである。ＦＯＶ４１０内にＡＢＴＴ終端１０の区域とＡＢＴＴ終端１０に直接に隣接するか又はその隣の区域とに対応する小さめの２次元区域４１４が存在することを理解しなければならない。
【００７０】
システム４００を作動させるために、被検者４１２は、圧力又は存在検出デバイス３１６の上に立ち、それによってシステム４００が開始又は起動される。圧力又は存在検出デバイス３１６は、被検者４１２の体重を直ちに提供することができる。例示的実施形態では、被検者４１２は、制御デバイス４０８上のキーを押下することによって温度測定作動を始めることができる。これに代えて、圧力検出デバイス３１６上の被検者４１２の存在が、温度測定作動を開始することができる。更に別の代替として、携帯電話、ラップトップ、タブレットのような個別の電子デバイス（図示せず）は、システム４００と通信し、システム４００作動を開始し、並びにシステム４００の機能を制御するように構成することができる。
【００７１】
例示的実施形態では、被検者４１２は、自分の眼に向けて視準してＩＲカメラ４０４を手動で移動するか、又は制御デバイス４０８上の制御器を用いてＩＲカメラ４０４を支持システム４０２に沿って垂直に位置決めする。別の例示的実施形態では、ＩＲカメラ４０４は、ＡＢＴＴ終端１０によって表された高温スポットに関して走査しながら支持システム４０２に沿って移動する。この後者の実施形態では、ＩＲカメラ４０４がＡＢＴＴ終端１０によって表された高温スポットを識別した状態で、ＩＲカメラ４０４は、それ自体をＡＢＴＴ終端１０から温度信号を取得するように位置決めする。ＩＲカメラ４０４は、その熱撮像機能によって被検者４１２の頭の上部の位置を決定することができるので、ＩＲカメラ４０４の移動は、システム４００に被検者４１２の身長を測定する機能を更に与えることに注意しなければならない。これに代えて、ＡＢＴＴ終端１０から典型的な個人の頭の上部までの平均距離が以前に測定された距離であることを前提として、ＩＲカメラ４０４がＡＢＴＴ終端１０を位置付けた状態で、システム４００は、被検者４１２の身長を推定することができる。
【００７２】
ＩＲカメラ４０４がＡＢＴＴ終端１０の温度を測定するように位置決めされた状態で、制御デバイス４０８又は個別の電子デバイス（図示せず）内で達成することができる温度データの取得及び解析が始まる。データ取得処理は、必要とされるデータ解析のタイプに依存して複数の時間間隔を含むように構成することができる。簡単な温度測定では、データ取得の長さは、典型的に数秒、例えば、１０秒から２０秒までである。複雑な測定では、データ取得の長さは数分である場合がある。一部のデータ取得間隔は非常に長い場合があり、被検者４１２に対して椅子を与えることを有益とすることができる。
【００７３】
図７１は、全体的に５００に示す本発明の開示の例示的実施形態によるＡＢＴＴ取得処理を示している。処理５００の機能は、ＩＲカメラ３０６等のＩＲカメラをＡＢＴＴ終端１０の温度出力を測定することができる場所まで駆動することである。処理５００は、ＡＢＴＴ温度測定システムの様々な要素が給電されて初期化される開始処理５０２で始まる。ＡＢＴＴ温度測定システムが初期化された状態で、制御は、開始処理５０２から第１方向移動処理５０４に移る。
【００７４】
第１方向移動処理５０４では、ＩＲカメラが支持システムに沿って垂直に移動される。ＩＲカメラは、移動する間にＩＲ画像を取得する。例示的実施形態では、ＩＲカメラからのデータは、データが得られる時に、例えば、データ解析処理５０６において解析される。別の例示的実施形態では、データは、ＩＲカメラが第１の移動限界に達した後に解析される。データが、データが得られる時に近実時間で解析される場合に、制御は、ＡＢＴＴ終端１０の場所が識別された状態でＡＢＴＴ終端位置付け完了判断処理５０８に移る。他の場合に、ＩＲカメラは第１の限界に達することが許され、制御は、その後にＡＢＴＴ終端位置付け完了判断処理５０８に移される。
【００７５】
ＡＢＴＴ終端位置付け完了判断処理５０８では、ＡＢＴＴ終端１０の場所が決定されたか否かに関して判断が行われる。そのような判断は、カ氏９７．５度からカ氏１０６度の範囲にある温度等の顔面の予め決められた温度が識別された場合に行うことができる。ある一定の状況では、ＡＢＴＴ終端１０を取り囲む皮膚がＡＢＴＴ終端１０よりも高温である場合がある。本発明の開示のＡＢＴＴ温度測定システムは、ＡＢＴＴ終端１０を取り囲む全ての温度がＡＢＴＴ終端１０よりも高温であることを認識すること、従って、ＡＢＴＴ終端１０がそれを取り囲む皮膚よりも低温であることを認識することによってこの状況に対処することができる。非常に希な状況では、周辺皮膚の温度がＡＢＴＴ終端１０の温度とほぼ同じ温度であり、この場合に、有効な温度測定値を達成するために周辺皮膚を冷却するための追加対策を必要とする場合がある。ＡＢＴＴ終端１０を識別することができた場合に、制御は、ＡＢＴＴ終端場所(ABTT terminus location)に移動する処理５１０に移る。ＡＢＴＴ終端１０を識別することができなかった場合に、制御は、第２方向移動処理５１８に移る。
【００７６】
ＡＢＴＴ終端場所に移動する処理５１０では、ＩＲカメラが、ＡＢＴＴ終端１０が識別された高さ又は場所に駆動される。ＩＲカメラが、決定された場所に達した状態で、制御は、ＡＢＴＴ終端位置付け処理５１０からデータ取得処理５１２に移る。
【００７７】
データ取得処理５１２では、ＡＢＴＴ終端１０からの温度データが予め決められた期間にわたって得られる。そのようなデータ取得は、数秒から数十分にわたる可能性がある。温度読取だけのためのデータ取得の一般的な範囲は、約１０秒から２０秒までである。病状を診断するためのより詳細なデータ取得では、データ取得は、３０秒から２０分又はそれよりも更に長い場合がある。データ取得に対する予め決められた期間が経過した状態で、制御は、データ取得処理５１２からデータ解析処理５１４に移る。
【００７８】
データ取得処理５１２において受信されたデータは、データ解析処理５１４において解析される。解析が完了した状態で、制御は、データ解析処理５１４からデータ送信又はデータ表示処理５１６に移り、そこで解析されたデータは、ラップトップ、タブレット、携帯電話のような電子デバイスに送信されるか、又はシステムディスプレイ上に表示されるか、又はこれらの両方が行われる。その後に、制御は、終了処理５２６に移り、処理５２６は、解析されたデータの精査を可能にするための予め決められた期間の後に全てのハードウエアを待機モード又はオフモードに入れることができる。
【００７９】
第２方向移動処理５１８に戻ると、ＩＲカメラは、支持システムに垂直に沿って第１の方向と反対の第２の方向に移動される。ＩＲカメラは、移動する間にＩＲ画像を取得する。例示的実施形態では、ＩＲカメラからのデータは、データが得られる時に、例えば、データ解析処理５２０において解析される。別の例示的実施形態では、データは、ＩＲカメラが第２の移動限界に達した後に解析される。データが、データが得られる時に近実時間で解析される場合に、制御は、ＡＢＴＴ終端１０の場所が識別された状態でＡＢＴＴ終端位置付け完了判断処理５２２に移る。他の場合に、ＩＲカメラは第２の限界に達することが許され、制御は、その後にＡＢＴＴ終端位置付け完了判断処理５２２に移される。
【００８０】
ＡＢＴＴ終端位置付け完了判断処理５２２では、ＡＢＴＴ終端１０の場所が決定されたか否かに関して判断が行われる。そのような判断は、カ氏９７．５度からカ氏１０６度の範囲にある温度等の顔面の予め決められた温度が識別された場合に行うことができる。ある一定の状況では、ＡＢＴＴ終端１０を取り囲む皮膚がＡＢＴＴ終端１０よりも高温である場合がある。本発明の開示のＡＢＴＴ温度測定システムは、ＡＢＴＴ終端１０を取り囲む全ての温度がＡＢＴＴ終端１０よりも高温であることを認識すること、従って、ＡＢＴＴ終端１０がそれを取り囲む皮膚よりも低温であることを認識することによってこの状況に対処することができる。非常に希な状況では、周辺皮膚の温度がＡＢＴＴ終端１０の温度とほぼ同じ温度であり、この場合に、有効な温度測定値を達成するために周辺皮膚を冷却するための追加対策を必要とする場合がある。ＡＢＴＴ終端１０を識別することができた場合に、制御は、本明細書で上述したようにＡＢＴＴ終端場所に移動する処理５１０に移る。ＡＢＴＴ終端１０を識別することができなかった場合に、制御は、エラー返信処理５２４に移る。
【００８１】
エラー返信処理５２４では、被検者、患者、又は他の個人にＡＢＴＴ終端１０の場所が決定されなかったという通知が与えられる。その後に、制御は、エラー返信処理５２４から上述のように機能する終了処理５２６に移る。
【００８２】
本明細書における一部の実施形態は、顔面全体が得られるような熱撮像を記載しているが、ＡＢＴＴ終端１０が位置付けられる眼と鼻の間の角状領域を位置付けてこの領域を識別するのに全顔面撮像を必要としないことは明らかであるべきである。従って、一部の実施形態では、熱撮像カメラは、顔面全体ではなくＡＢＴＴ終端１０が位置付けられる一意的な場所を識別するのに十分な視野しか必要としない場合がある。
【００８３】
本発明の開示の様々な実施形態を図示して説明したが、これらの実施形態は、それに限定されないことは理解される。実施形態は、当業者によって変更、修正、かつ更に応用することができる。従って、これらの実施形態は、上述のように図示して説明した詳細に限定されず、むしろ全てのそのような変形及び修正を同じく含むものである。いずれかの実施形態のいずれの部分も、単一実施形態を生成するために組合せで使用することができ、いずれかの実施形態のいずれの部分も、別の実施形態への交換又は追加として使用することができ、全ての得られる実施形態は、本発明の開示の範囲内である。
【図１】
2018512915.tif 000003
【図２】
2018512915.tif 000004
【図３】
2018512915.tif 000005
【図４−５】
2018512915.tif 000006
【図６】
2018512915.tif 000007
【図７】
2018512915.tif 000008
【図７Ａ】
2018512915.tif 000009
【図７Ｂ】
2018512915.tif 000010
【図７Ｃ】
2018512915.tif 000011
【図７Ｄ】
2018512915.tif 000012
【図７Ｅ】
2018512915.tif 000013
【図７Ｆ】
2018512915.tif 000014
【図７Ｇ】
2018512915.tif 000015
【図７Ｈ】
2018512915.tif 000016
【図８】
2018512915.tif 000017
【図８Ａ】
2018512915.tif 000018
【図８Ｂ】
2018512915.tif 000019
【図９】
2018512915.tif 000020
【図１０】
2018512915.tif 000021
【図１１】
2018512915.tif 000022
【図１２】
2018512915.tif 000023
【図１３】
2018512915.tif 000024
【図１４】
2018512915.tif 000025
【図１５】
2018512915.tif 000026
【図１６】
2018512915.tif 000027
【図１７】
2018512915.tif 000028
【図１８】
2018512915.tif 000029
【図１９】
2018512915.tif 000030
【図２０】
2018512915.tif 000031
【図２１】
2018512915.tif 000032
【図２２】
2018512915.tif 000033
【図２３】
2018512915.tif 000034
【図２４】
2018512915.tif 000035
【図２５】
2018512915.tif 000036
【図２６】
2018512915.tif 000037
【図２７】
2018512915.tif 000038
【図２８】
2018512915.tif 000039
【図２９】
2018512915.tif 000040
【図３０】
2018512915.tif 000041
【図３０Ａ】
2018512915.tif 000042
【図３０Ｂ】
2018512915.tif 000043
【図３０Ｃ】
2018512915.tif 000044
【図３０Ｄ】
2018512915.tif 000045
【図３０Ｅ】
2018512915.tif 000046
【図３１】
2018512915.tif 000047
【図３２】
2018512915.tif 000048
【図３３】
2018512915.tif 000049
【図３３Ａ】
2018512915.tif 000050
【図３３Ｂ】
2018512915.tif 000051
【図３４】
2018512915.tif 000052
【図３５】
2018512915.tif 000053
【図３６】
2018512915.tif 000054
【図３７】
2018512915.tif 000055
【図３８】
2018512915.tif 000056
【図３９】
2018512915.tif 000057
【図４０】
2018512915.tif 000058
【図４１】
2018512915.tif 000059
【図４２】
2018512915.tif 000060
【図４３】
2018512915.tif 000061
【図４４】
2018512915.tif 000062
【図４５】
2018512915.tif 000063
【図４６】
2018512915.tif 000064
【図４７】
2018512915.tif 000065
【図４８】
2018512915.tif 000066
【図４９】
2018512915.tif 000067
【図５０】
2018512915.tif 000068
【図５１】
2018512915.tif 000069
【図５２】
2018512915.tif 000070
【図５３】
2018512915.tif 000071
【図５４】
2018512915.tif 000072
【図５５】
2018512915.tif 000073
【図５６】
2018512915.tif 000074
【図５７】
2018512915.tif 000075
【図５８】
2018512915.tif 000076
【図５９】
2018512915.tif 000077
【図６０】
2018512915.tif 000078
【図６１】
2018512915.tif 000079
【図６２】
2018512915.tif 000080
【図６３】
2018512915.tif 000081
【図６４】
2018512915.tif 000082
【図６５】
2018512915.tif 000083
【図６６】
2018512915.tif 000084
【図６７】
2018512915.tif 000085
【図６８】
2018512915.tif 000086
【図６９】
2018512915.tif 000087
【図７０】
2018512915.tif 000088
【図７０Ａ】
2018512915.tif 000089
【図７０Ｂ】
2018512915.tif 000090
【図７０Ｃ】
2018512915.tif 000091
【図７０Ｄ】
2018512915.tif 000092
【図７０Ｅ】
2018512915.tif 000093
【図７０Ｆ】
2018512915.tif 000094
【図７０Ｇ】
2018512915.tif 000095
【図７０Ｈ】
2018512915.tif 000096
【図７０Ｉ】
2018512915.tif 000097
【図７０Ｊ】
2018512915.tif 000098
【図７０Ｋ】
2018512915.tif 000099
【図７０Ｌ】
2018512915.tif 000100
【図７０Ｍ】
2018512915.tif 000101
【図７０Ｎ】
2018512915.tif 000102
【図７０Ｏ】
2018512915.tif 000103
【図７０Ｐ】
2018512915.tif 000104
【図７０Ｑ】
2018512915.tif 000105
【図７１】
2018512915.tif 000106
【図７２】
2018512915.tif 000107
【図７３】
2018512915.tif 000108
【図７４】
2018512915.tif 000109
【図７５】
2018512915.tif 000110
【図７６】
2018512915.tif 000111
【図７７】
2018512915.tif 000112
【図７８】
2018512915.tif 000113
【国際調査報告】
2018512915.tif 000114
2018512915.tif 000115
2018512915.tif 000116